(57)【要約】【課題】使用済みの新聞紙や雑誌等の紙資源を保管して、紐による紙資源の結束や紙資源の取り出しを容易にし、紙資源の収容以外の目的で使用することができる紙資源ストックホルダとそれから紙資源を取り出すための補助具を提供する。【解決手段】上部が開口した筐体と、この筐体の底部に設けられる脚部とを有する紙資源を一時保管するための紙資源ストックホルダであって、筐体は、この筐体の底面における２組の対辺の略中心をそれぞれ結ぶ線上に十字状に設けられる第１のスリットと、この筐体の４側面に第１のスリットに連続して開口に達しない高さまで設けられる第２のスリットと、筐体の底面における２組の対角をそれぞれ結ぶ線上に交差部分を除いてＸ字状に垂設されるガイド板とを有し、このガイド板は、底面の中心側に向かうにつれて底面からの高さが低くなることを特徴とする紙資源ストックホルダとそれから紙資源を取り出すための補助具による。【選択図】  図２
0003111696.tif 000002
【実用新案登録請求の範囲】
【請求項１】
上部が開口した筐体と、この筐体の底部に設けられる脚部とを有して紙資源を一時保管するための紙資源ストックホルダであって、
前記筐体は、この筐体の底面における２組の対辺の略中心をそれぞれ結ぶ線上に十字状に設けられる第１のスリットと、前記筐体の４側面に前記第１のスリットに連続して前記開口に達しない高さまで設けられる第２のスリットと、前記筐体の底面における２組の対角をそれぞれ結ぶ線上に交差部分を除いてＸ字状に垂設されるガイド板とを有し、このガイド板は、前記紙資源を結束するための紐を前記第１のスリットに案内するために前記底面の中心側に向かうにつれて前記底面からの高さが低くなることを特徴とする紙資源ストックホルダ。
【請求項２】
上部が開口した筐体と、この筐体の底部に設けられる脚部とを有して紙資源を一時保管するための紙資源ストックホルダであって、
前記筐体は、この筐体の底面における２組の対辺の略中心をそれぞれ結ぶ線上に十字状に設けられる第１のスリットと、前記筐体の４側面に前記第１のスリットに連続して前記開口に達しない高さまで設けられる第２のスリットとを有し、前記脚部は、前記筐体の下方４側面に連続して延設され、前記紙資源を結束するための紐を前記第１のスリットに案内するために前記側面の中心側に向かうにつれて前記底面からの高さが低くなることを特徴とする紙資源ストックホルダ。
【請求項３】
前記筐体は、前記側面の開口近傍に紙資源を投入するために水平に穿設された長孔と、前記開口を覆う天板とを備え、
前記天板は、前記筐体の開口に前記天板を前記側面と平行に掛着するフックを天板の裏面に具備することを特徴とする請求項１又は請求項２に記載の紙資源ストックホルダ。
【請求項４】
前記筐体は、前記側面の開口近傍に紙資源を投入するために水平に穿設された長孔と、前記開口を覆う天板とを備え、
前記天板は、前記天板の裏面に前記紙資源を結束するための紐を収納する収納ケースを備え、
前記収納ケースは、前記紙資源を結束するための紐の端部を前記収納ケースの外部に導出するための孔を具備することを特徴とする請求項１又は請求項２に記載の紙資源ストックホルダ。
【請求項５】
断面略Ｃ型あるいはＵ型の半割円筒体を十字状に形成し、この十字状の半割円筒体の中央部で紙資源を結束する紐の交差部を収容することを特徴とする紙資源ストックホルダから紙資源を取り出すための補助具。
【請求項６】
請求項５に記載の補助具を備えることを特徴とする請求項１乃至請求項４のいずれか１項に記載の紙資源ストックホルダ。
【考案の詳細な説明】
【技術分野】
【０００１】
本考案は古新聞や古雑誌等の使用済み紙資源を一時保管することができ、紐による紙資源の結束が容易な紙資源ストックホルダと、この紙資源ストックホルダから紙資源の取り出しを容易にする補助具に関するものである。
【０００２】
一般に、一般家庭や事業所において使用済みの新聞や古雑誌等の紙資源は、生活空間や業務スペース内で一時保管され、ある程度溜まると紐等で持ち運び可能に結束して、回収業者等に受け渡している。
このような使用済みの紙資源は特に嵩張り、限られた居住空間や作業スペースを圧迫し、さらに、美観を損なうという課題があった。
【０００３】
このような課題に対処するため、いくつかの発明及び考案が開示されている。
たとえば、特許文献１には「新聞雑誌収納箱」という名称で、簡単な構成で容易に新聞,雑誌を１本の紐で十字掛けすることのできる新聞雑誌収納箱に関する発明が開示されている。
以下、図７を参照しながら、特許文献１に開示された技術について説明する。
図７（ａ）は従来技術に係る新聞雑誌収納箱の外形図であり、（ｂ）はその一部を切り欠いて示す使用状態図である。
図７（ａ）に示すように、新聞雑誌収納箱１００は、例えば、アルミ等の比較的強度の高い部材からなる四角柱状の格子枠体部１０１の上面に新聞，雑誌等を載置する受板部１０２が設けられ、格子枠体部１０１の上面側の枠辺中央部には紐を通すための十字形のスリット１０３が形成されている。また、格子枠体部１０１の上面には受板部１０２に載置される新聞，雑誌等が嵩張ってきた際に荷崩れを防止するための囲み部材１０４がスリット１０３部分を回避するように取り付けられている。また、格子枠体部１０１の内側に設けられる作業用空間部１０５は結束時に人が手作業できる程度の大きさを有するよう構成され、さらに、収納空間部１０６は新聞，雑誌等を収納できる程度の平面的な広がりと、一定量の新聞，雑誌等を蓄積できる深さを有するよう構成されている。
次に、上記構成の新聞雑誌収納箱１００の使用方法を、図７（ｂ）を用いて説明する。まず、不要となった新聞，雑誌等１０７を順次、収納空間部１０６に整理していき、一定の量に達したら作業用空間部１０５に手を入れて１本の紐１０８を十字型のスリット１０３が形成された部分に通し、一定方向に必要回数巻回した後、新聞，雑誌等１０７の上面に取り廻して表面中央付近で一旦結び、引き続いて紐１０８を巻回した方向と直角な方向に必要回数巻回して掛けて新聞，雑誌等１０７の上面に取り廻し再度結ぶ。作業終了後に結束された新聞，雑誌１０７を収納空間部１０６より取り出すものである。
特許文献１の発明によれば、収納空間部１０５に収容した新聞，雑誌等１０７を容易に紐１０８で結束することができる。
【０００４】
また、特許文献２には「紐でそのまま新聞紙等が束ねられる新聞紙等の保管器」という名称で、使用済みの紙資源を保管し、保管された紙資源を紐で簡単に結束できる保管器に関する発明が開示されている。
特許文献２に係る保管器は主に、上部が開口した筐体に、この筐体を支持する脚部が設けられたもので、筐体の底面には結束用の紐等を廻らせるためのスリットが底面の長辺を二分割するように設けられている。また、筐体の側面にはこのスリットと連続するスリットが、開口部と同じ高さまで設けられている。なお、筐体がスリットによって分断されないのは、開口の一部が、筐体の上部に向って突出し、この突出部分にスリットの端部が設けられているためである。
上記構成の保管器の使用方法は、保管器の開口から使用済みの新聞や雑誌等の紙資源を投入して一旦保管し、一定量の紙資源が溜まったら、筐体の下面に設けられる脚部の間に結束用の紐を潜らせて、筐体の底部及び側部に設けられたスリットに添って紐を配置し、筐体の開口付近のスリットの端部から、紐の端部を筐体の内部側へと挿入して筐体の内側で紐の両端をそれぞれ結び合わせるのである。
このように、特許文献２に係る保管器を用いることで、保管器に収容したまま紙資源を結束することができる。また、保管器のスリット部分以外は、使用済みの紙資源を被覆するので、保管中の紙資源の目隠しにもなる。さらに、保管器の開口の一部が上部に向って突出し、この突起部分にスリットの端部が設けられているため、保管器一杯に紙資源を収容した状態であっても、紐で紙資源を結束することができる。
【０００５】
さらに、特許文献３には、「新聞雑誌等の整理具」という名称で、使用済みの新聞紙や本を束ねて紐掛をする場合に紙の側縁を揃え、紐掛を容易にする整理具に関する考案が開示されている。
特許文献３に係る「新聞雑誌等の整理具」は、新聞等の束をその紙面の対向する一対の隅部において載置する一対の受台と、この一対の隅部の側縁を垂直方向にそろえる案内柱とを底板上に一方の対角線方向に指向して配置するとともに、受台と底板間に空間を設け、かつ受台と案内柱とに荷造り用の紐を通す紐穴を形成し、荷造り時に紙束に周回した一本の紐の先端と他端を束の裏面中央において手によりそれぞれ直角に折曲して互いに引っ掛け、紙束の表面中央部において緊結できるよう構成されるものである。
すなわち、図７に示す特許文献１に係る新聞雑誌収納箱１００を用いて特許文献３に係る「新聞雑誌等の整理具」を説明すると、受板部１０２及び囲み部材１０４が新聞，雑誌等１０７の対向する一対の角部分にのみ設けられ、格子枠体部１０１の代わりに底板を有し、囲み部材１０４の下端が受板部１０２よりも下側に伸びて底板に垂設される構造になっている。なお、特許文献１に係る囲み部材１０４，受板部１０２はそれぞれ、特許文献３に係る「新聞雑誌等の整理具」における案内柱，受台である。また、受台と底板の間には緊結用の紐を収容することができ、この紐が容易に取り出せるように受台と案内柱には紐穴が設けられている。
上記構成の特許文献３に係る整理具は、特許文献１の発明に比べて少ない構成部材で新聞等を収容することができ、新聞等の束を持ち上げることなく紐で十字掛けにすることができる。
【０００６】
【特許文献１】特開平８−８５５１０号公報
【特許文献２】特開２０００−２６４３０７号公報
【特許文献３】実公昭６４−４６５５号公報
【考案の開示】
【考案が解決しようとする課題】
【０００７】
しかしながら、上述の特許文献１に開示された発明においては、新聞，雑誌等１０７を収納空間部１０６に収容したまま紐で結束することができるものの、受板部１０２及び囲み部材１０４は、格子枠体部１０１により支持される以外は互いに連結されることなく独立しているため、新聞，雑誌等１０７を支持するためには受板部１０２や格子枠体部１０１を強度の優れた素材で構成する必要がある。このため、受板部１０２や格子枠体部１０１にアルミニウムや鉄等の金属、或いはそれらの合金等を使用した場合に、新聞雑誌収納箱１００を製造するためのコストがかさむという課題があった。
また、紐で結束した新聞，雑誌等１０７を収納空間部１０６から取り出す場合、作業用空間部１０５と収納空間部１０６の高さを足し合せた高さよりもさらに高い位置まで新聞，雑誌等１０７を引き上げる必要があり、背の低い人や、腕力に乏しい人には、結束された新聞が取り出しにくいという課題があった。さらに、新聞，雑誌等１０７を紐１０８で巻回する際、万一、紐１０８が弛んで十字型のスリット１０３に配置されない場合、つまり、受板部１０２を巻き込んでしまった場合は、受板部１０２や格子枠体部１０１の一部を巻き込んだまま新聞，雑誌等１０７を結束してしまう可能性があり、その結果、収納空間部１０６からの取出しが困難になったり、結束し直す必要が生じたりするなどの不具合が起こる可能性があった。さらに、新聞雑誌収納箱１００は随所に角があり、結束作業中に作業者が腕などを引っ掛けて怪我をする恐れもあった。また、収納空間部１０６に新聞，雑誌等１０７が収容されると、新聞雑誌収納箱１００の重心が高くなり、揺動により横転しやすく、小さな子供のいる場所での使用には注意を要するという課題もあった。
加えて、この新聞雑誌収納箱１００は新聞，雑誌等１０７の収納とその結束以外に用途がなく、使用時に生活空間や作業スペースを圧迫して美観を損なうものであった。
【０００８】
また、特許文献２に開示された発明においても、特許文献１に係る発明と同様に、紙資源を紐で結束する際、万一、紐が弛んで保管器のスリットに適切に配置されない場合は、保管器の底面や側面の一部を巻き込んだまま紙資源を結束してしまい、保管器から紙資源の取出しが困難になったり、紙資源を結束し直す必要が生じる等の不具合が起こる可能性があった。また、特許文献２に係る発明についても、紙資源の収納とその結束以外に用途がなく、使用時に生活空間や作業スペースを圧迫して美観を損なう恐れがあった。
【０００９】
さらに、特許文献３に開示された考案においては、上述の特許文献１及び特許文献２に係る発明の場合のように、紐で新聞等の束を結束する際、案内柱や受台の一部を巻き込んだまま結束してしまう恐れは少ないものの、特許文献１及び特許文献２に係る発明に比べて、新聞等の束を被覆する部材が少なく、新聞等の束の目隠し効果が低いうえ、新聞等の束の収容とその結束以外に用途が無いことから、特許文献１や特許文献２の場合と同様に、使用時に生活空間や作業スペースを圧迫して美観を損なう恐れがあった。
さらに、案内柱を長くすることで、収容可能な新聞等の量が増えるものの、結束した新聞等の束の取出しが困難になるだけでなく、「新聞雑誌等の整理具」自体の強度も低下するという課題があった。
【課題を解決するための手段】
【００１０】
本考案はかかる従来の事情に対処してなされたものであり、使用済みの新聞紙や雑誌等の紙資源を一時保管することができ、この紙資源の紐による結束と収容器からの取り出しが容易で、紙資源の収容以外の目的にも使用することができる紙資源ストックホルダとそれから紙資源を取り出すための補助具を提供することにある。
【００１１】
上記目的を達成するため、請求項１記載の考案である紙資源ストックホルダは、上部が開口した筐体と、この筐体の底部に設けられる脚部とを有して紙資源を一時保管するための紙資源ストックホルダであって、筐体は、この筐体の底面における２組の対辺の略中心をそれぞれ結ぶ線上に十字状に設けられる第１のスリットと、この筐体の４側面に第１のスリットに連続して開口に達しない高さまで設けられる第２のスリットと、筐体の底面における２組の対角をそれぞれ結ぶ線上に交差部分を除いてＸ字状に垂設されるガイド板とを有し、このガイド板は、紙資源を結束するための紐を第１のスリットに案内するために底面の中心側に向かうにつれて底面からの高さが低くなることを特徴とするものである。
上記構成の紙資源ストックホルダにおいては、筐体は紙資源を被覆し、紙資源を収容するという作用を有する。また、この筐体は、第１のスリット及び第２のスリットによりその形が完全に分断されない一体の収容器であるため、筐体の上側や側面から力が加わった場合に、収容器が変形しにくいという作用を有する。
さらに、脚部は、筐体の底面と設置面との間に、結束用の紐を筐体の前後、左右方向に掛け渡すことができるような空間を形成するという作用を有する。また、第１のスリット及び第２のスリットは紙資源の底面及び側面の一部を外部に露出させて、その上部の隙間から結束用の紐を外側から内側、あるいはその逆方向へ導くという作用を有する。
そして、筐体の底面に垂設されるガイド板は筐体の底面を補強して、結束用の紐を第１のスリットに案内するという作用を有する。
【００１２】
また、請求項２に記載の考案である紙資源ストックホルダは、上部が開口した筐体と、この筐体の底部に設けられる脚部とを有して紙資源を一時保管するための紙資源ストックホルダであって、筐体は、この筐体の底面における２組の対辺の略中心をそれぞれ結ぶ線上に十字状に設けられる第１のスリットと、この筐体の４側面に第１のスリットに連続して開口に達しない高さまで設けられる第２のスリットとを有し、脚部は、筐体の下方４側面に連続して延設され、紙資源を結束するための紐を前記第１のスリットに案内するために側面の中心側に向かうにつれて底面からの高さが低くなることを特徴とするものである。
上記構成の紙資源ストックホルダにおいては、請求項１に記載の発明と同様の作用を有する。但し、請求項２に記載の発明においては、請求項１におけるガイド板の機能は脚部が兼ね備えており、その作用は脚部が発揮することになる。
【００１３】
さらに、請求項３に記載の考案は請求項１又は請求項２に記載の紙資源ストックホルダであって、筐体は、側面の開口近傍に紙資源を投入するために水平に穿設された長孔と、開口を覆う天板とを備え、天板は、筐体の開口に天板を側面と平行に掛着するフックを天板の裏面に具備することを特徴とするものである。
上記構成の紙資源ストックホルダにおいて、天板は筐体の開口を被覆するという作用を有する。また、筐体の開口付近に穿設される長孔は、筐体の側面から筐体内部への紙資源の投入を可能にするという作用を有する。
さらに、フックは天板を筐体の側面と平行に保持して、筐体の開口に掛着させるという作用を有する。
【００１４】
また、請求項４に記載の考案である紙資源ストックホルダは、請求項１又は請求項２に記載の紙資源ストックホルダであって、筐体は、側面の開口近傍に紙資源を投入するために水平に穿設された長孔と、開口を覆う天板とを備え、この天板は、天板の裏面に紙資源を結束するための紐を収納する収納ケースを備え、収納ケースは、紙資源を結束するための紐の端部を収納ケースの外部に導出するための孔を具備することを特徴とするものである。
上記構成の紙資源ストックホルダにおいて、収納ケースは紙資源を結束するための紐を収容するという作用を有し、この収納ケースに穿設される孔は、収容される紐を収納ケースの外部に導出するという作用を有する。
【００１５】
請求項５に記載の考案である紙資源ストックホルダから紙資源を取り出すための補助具は、断面略Ｃ型あるいはＵ型の半割円筒体を十字状に形成し、この十字状の半割円筒体の中央部で紙資源を結束する紐の交差部を収容することを特徴とするものである。
上記構成の補助具は、紙資源を結束する紐の交差部を、断面略Ｃ型あるいはＵ型の半割円筒体の中央部に収容するという作用を有する。
また、この補助具は、紙資源を結束する紐の交差部にかかる荷重を、断面略Ｃ型あるいはＵ型の半割円筒体に分散させるという作用を有する。
【００１６】
最後に、請求項６に記載の考案である紙資源ストックホルダは、請求項１乃至請求項４のいずれか１項に記載の紙資源ストックホルダであって、請求項５に記載の補助具を備えることを特徴とするものである。
上記構成の紙資源ストックホルダは、上述の請求項１乃至請求項４の考案に係る作用に加えて、請求項５に記載の考案の作用を有するものである。
【考案の効果】
【００１７】
以上説明したように、請求項１記載の紙資源ストックホルダにおいては、使用済みの紙資源を外部から見えにくい状態で保管することができ、さらに、使用者は第２のスリットから筐体内の紙資源の量を確認することができる。
そして、筐体の底面及び側面に穿設された第１及び第２のスリットから露出する紙資源の底面及び側面に、結束用の紐を巻回することで、紙資源を筐体に収容したまま結束することができる。
また、万一、紐を筐体の底面の第１のスリット以外の場所に巻回した場合であっても、紐の両端を把持して上部に引き上げることで、紐を第１のスリットに確実に誘導することができる。このため筐体の底部や側面の一部を巻き込んだまま紙資源を結束してしまう恐れがない。このため、作業者は紙資源を結束する際に、筐体の底部における紐の位置を逐一確認する必要がなく、筐体の底面との間の空間を狭くすることができる。この結果、作業効率が高まる。さらに、紙資源ストックホルダの脚部の長さは、紙資源を結束するための紐が、筐体の底面と設置面との間を潜れる程度の隙間を形成できる程度であればよく、紙資源ストックホルダ全体の高さを低く構成することができる。従って、紙資源を収容した状態における紙資源ストックホルダの重心が低くなり、紙資源ストックホルダが揺動した場合も転倒しにくい安定した構造になる。
そして、ガイド板は筐体の底部を補強するので、筐体に荷重がかかった場合でも筐体の変形を最少にして破損を防止することができる。
【００１８】
また、請求項２記載の紙資源ストックホルダは、請求項１に記載の考案とほぼ同じ効果を有するものであるが、請求項２に記載の考案の脚部は、請求項１に記載の考案のガイド板を兼ねたものである。従って、請求項２の記載の考案は、請求項１に記載の考案のように筐体の底面が補強されない代わりに、請求項１に記載の紙資源ストックホルダに比べて少ない部材で構成することができ、請求項２記載の紙資源ストックホルダの製造コストを削減にすることができる。
【００１９】
さらに、請求項３記載の紙資源ストックホルダにおいては、筐体開口に天板を覆設することで、保管中の紙資源を略完全に被覆することができ、生活空間や作業スペースに紙資源を保管中の紙資源ストックホルダを放置しても、その美観を損なう心配がない。
また、筐体の側面に、長孔を設けることで筐体の開口が塞がれた状態であっても、筐体の内部に紙資源を投入することができる。つまり、紙資源を筐体に投入するために逐一天板を取外す必要がない。加えて、天板を設けることで、紙資源ストックホルダの上面に荷重をかけたり、物を載置することができる。このため、紙資源ストックホルダを別の目的で使用することができ、紙資源ストックホルダの汎用性が高まる。
さらに、この天板は、筐体の側面と平行に筐体の開口に掛着することができるので、狭い場所で紙資源ストックホルダから紙資源取り出す場合にも、取外した天板の置き場所に困らない。また、天板の裏面に設けられるフックは、天板の水平方向のズレを防止するストッパともなり、天板の位置がずれて天板上に載置したものが天板ごと落下する恐れがない。
【００２０】
また、請求項４記載の紙資源ストックホルダにおいては、紙資源を結束するための紐を収納ケースに収納できるだけでなく、収納ケースに紐を収容したまま、紐を所望の長さだけ取り出すことができるので、結束中に紐が絡まる心配がなく、作業効率も高まる。
【００２１】
また、請求項５記載の補助具においては、作業者が紙資源ストックホルダから紙資源を取り出す際に、紙資源の荷重を、補助具を構成する半割円筒体に分散させるので、結束用の紐を素手で直接引き上げる場合に比べて、作業者の手に結束用の紐がめり込む心配がなく、紙資源を搬出する際の作業者の負担を軽減することができる。
【００２２】
最後に、請求項６記載の紙資源ストックホルダは、請求項１乃至請求項４のいずれか１項に記載の紙資源ストックホルダの効果に加えて、請求項５に記載の補助具の効果を有するものである。
【考案を実施するための最良の形態】
【００２３】
以下に、本考案の第１の実施の形態に係る紙資源ストックホルダとそれから紙資源を取り出すための補助具を図１乃至図５を参照しながら説明する。（特に、請求項１及び請求項３乃至請求項５に対応）
【００２４】
図１は本考案の第１の実施の形態に係る紙資源ストックホルダの概念図である。
図１に示すように、本考案の第１の実施の形態に係る紙資源ストックホルダ１ａは、主に、使用済みの新聞や雑誌等の紙資源を収容する筐体２ａと、この筐体２ａを支持する脚部３ａと、筐体２ａの開口１１に覆設される天板６及び、紙資源ストックホルダ１ａから紙資源を取り出すための図示しない補助具により構成されている。この補助具の詳細については後述する。
また、筐体２ａには、収容した紙資源を紐で結束する際に、紙資源の底面や側面に紐の巻回を可能にする第１のスリットとしてのスリット４ａ及び第２のスリットとしてのスリット４ｂが筐体２ａの底面及び側面に連続して設けられている。なお、収容される紙資源の荷重や、天板６上に載置される物の荷重で筐体２ａが変形しないよう、スリット４ｂの端部は開口１１から十分に離れた位置に配置されている。このように、筐体２ａをスリット４ａ，４ｂにより完全に分割されないよう構成することで、筐体２ａの強度が増し、紙資源ストックホルダ１ａを、踏み台や椅子などの紙資源を保管する以外の目的で使用することができる。
さらに、紙資源を結束する紐の端部を筐体２ａの内側に挿入したり、導出し易いよう、スリット４ｂの開口１１側の端部には、スリット４ｂの幅よりも広い直径を有する孔４ｃが連穿されている。そして、開口１１が天板６で被覆された状態であっても、紙資源を筐体２ａの内側に投入できるよう、孔４ｃよりも高い位置の開口１１付近に長孔５が穿設されている。なお、この長孔５は、必ずしも図中の符号Ａ側の筐体２ａの前面に設けられる必要はなく、筐体２ａの左右いずれかの片方の面、或いは両方の面に穿設されても良い。
また、筐体２ａ底部には、筐体２ａの底面における２組の対角をそれぞれ結ぶ線上の交差部分を除いた位置にガイド板１０が垂設され、このガイド板１０は、筐体２ａの底面の中心側に向かうにつれて底面からの高さが低くなっている。このため、紙資源を結束する紐がガイド板１０の下端面をスライドしてスリット４ａに確実に誘導される仕組みになっている。なお、紙資源を結束する紐が、スリット４ａに確実に誘導される仕組みの詳細については後述する。
【００２５】
図２は、本考案の第１の実施の形態に係る紙資源ストックホルダの天板を開口に掛着した場合の概念図である。なお、図１に記載されたものと同一部分については同一符号を付し、その構成についての説明は省略する。
図２に示すように、紙資源ストックホルダ１ａに係る天板６の裏面には、天板６を筐体２ａの側面と平行に開口１１に掛着するためのフック７と、紙資源を結束する際に使用する道具や紐１３、そして図示しない補助具９を収納できる収納ケース８が設けられている。なお、本実施の形態においてはフック７により天板６を筐体２ａの開口１１に掛着可能としたが、必ずしもフック７を具備する必要はなく、たとえば、天板６と開口１１をヒンジで連結して、天板６を、ヒンジを基点に回動可能に開閉するよう構成してもよい。
また、この収納ケース８のカバー８ａは、図中の符号Ｂで示す方向にヒンジ部８ｃを基点にして回動することで開閉可能となっている。また、このカバー８ａはフック８ｂにより掛着され、天板６を開口１１に覆設した際に、収納ケース８内の収容物が筐体２ａの内部へ落下しないよう構成されている。
さらに、筐体２ａに収容した紙資源を紐１３により結束する際に、巻回された紐１３を都度収納ケース８から取り出す必要がないよう、収納ケース８のカバー８ａには孔１６が穿設され、収容される紐１３の端部１３ｃが収納ケース８の外部へと導出できるよう構成されている。このため、作業者は孔１６から導出される紐１３の端部１３ｃを引くだけで、所望の長さの紐１３を収納ケース８から取り出すことができるのである。なお、本実施の形態においては、収納ケース８のカバー８ａに孔１６を穿設した場合を図示したが、この孔１６は収納ケース８の底部、すなわち、フック７が設けられる側の面に穿設しても良い。
また、必ずしもこの収納ケース８を設ける必要はなく、収納ケース８を天板６の裏面に設ける場合には、図２に示すような収納ケース８の厚みＣの値が、開口１１から長孔５までの距離Ｄよりも小さくなるよう配慮する必要がある。これは、収納ケース８の厚みＣが距離Ｄよりも大きいと、収納ケース８が邪魔になって使用済みの紙資源を長孔５から投入できないからである。
このように、天板６を筐体２ａの開口１１に掛着可能にすることで、紙資源を紐で結束する場合や、紐で結束した紙資源を筐体２ａから取り出す場合に、取外した天板６の置き場所に困らない。さらに、天板６の裏面に設けられるフック７や収納ケース８は、天板６の水平方向へのズレを防止するストッパの働きをするので、天板６が開口１１から外れて落下するのを防止することができる。
【００２６】
以上、図１及び図２に示すように、紙資源を収容する筐体２ａに天板６を設けることで、紙資源を保管中の紙資源ストックホルダ１ａを別の目的で使用することができる。たとえば、踏み台や椅子として使用することができる。また、椅子として使用する場合には、天板６の上面をクッション材等で被覆しても良い。さらに、天板６が開口１１よりも広い場合は、紙資源ストックホルダ１ａを飾り台として使用することもできる。
このように、本実施の形態に係る紙資源ストックホルダ１ａは紙資源の保管中に椅子や飾り台等の別の目的で使用することができるだけでなく、保管中の紙資源が略完全に被覆されることで目隠しされるので、生活空間や作業スペースに紙資源ストックホルダ１ａを放置しても、その美観を損ねる心配がない。
【００２７】
続いて、図３及び図４を参照しながら紙資源ストックホルダ１ａに係る筐体２ａ内に収容された紙資源を紐で結束する手順について説明する。
図３は、本考案の第１の実施の形態に係る紙資源ストックホルダの使用状態図であり、図４は本考案の第１の実施の形態に係る紙資源ストックホルダの補助具の概念図である。なお、図１又は図２に記載されたものと同一部分については同一符号を付し、その構成についての説明は省略する。また、図３において、紐１３ａ,１３ｂで結束される紙資源１４の形が理解されやすいよう、紙資源ストックホルダ１ａを点線で、紙資源１４及び紐１３ａ,１３ｂを実線で示した。さらに、紙資源ストックホルダ１ａにおける位置関係を説明する必要上、図３において符号Ｅ,Ｆ方向を前,後とし、符号Ｇ, Ｈ方向を左,右とした。また、本実施の形態においては、紙資源１４を２本の紐１３ａ,１３ｂで結束する場合を例に挙げて説明する。
図３に示すように、紙資源１４の前後方向（ＥＦ方向）を結束するには、まず、紙資源１４を取り出すための補助具９を紙資源１４上に載置し、たとえば、収納ケース８の孔１６から導出される端部１３ｃを引いて紐１３を取り出しながら、紐１３の端部１３ｃを孔４ｃ1から筐体２ａの後側に導出し、この孔４ｃ1に連続するスリット４ｂに添って端部１３ｃを筐体２ａの底部へと誘導する。次に、紐１３の端部１３ｃを筐体２ａの底部の後から前に向って掛け渡し、さらに、端部１３ｃを筐体２ａの前面のスリット４ｂに沿って上昇させ、スリット４ｂに連続する孔４ｃ2から筐体２ａの内側に挿入する。そして、結び目１７ａを形成するのに十分な紐１３を引き出してから収納ケース８の孔１６付近で紐１３を切断し、切断された紐１３（紐１３ａ）の一部を紙資源１４の上面に載置される補助具９の中空部１２ａに収容した後に、紐１３ａの両端をそれぞれ結び合わせる。
次に、紙資源１４の左右方向（ＧＨ方向）を結束するには、たとえば、孔１６から紐１３を引き出してその端部１３ｃを孔４ｃ3から筐体２ａの外部へと導出し、この端部１３ｃを筐体２ａの底部の左側から右側に向って掛け渡し、さらに、孔４ｃ4から紐１３の端部１３ｃを筐体２ａの内側に挿入した後、紐１３を切断する。そして、切断された紐１３（紐１３ｂ）の一部を補助具９の中空部１２ｂに収容した後に、紐１３ｂの両端をそれぞれ結び合わせる。
なお、孔１６の前後方向（ＥＦ方向）あるいは左右方向（ＧＨ方向）の位置は、紐１３を導く孔４ｃ1〜４ｃ4と同じ位置あるいはその近傍に設けると、紐１３を導き易くなり作業も容易である。
以上、上述のような手順に従えば、紐１３ａ,１３ｂで紙資源１４を図３に示すような状態に結束することができる。なお、紙資源１４の結束は必ずしも上述の手順に従って行う必要はなく、結束の手順は作業者が作業しやすいように適宜変更されてよい。さらに、本実施の形態においては、２本の紐１３ａ,１３ｂを用いて紙資源１４を結束する場合を例に挙げて説明したが、紐を紙資源１４の底面又は上面で交差させることにより、１本の紐で紙資源１４を結束することもできる。この場合、紐の交差部分を確実に補助具９の中空部１２ａ，１２ｂに収容するためには、紙資源１４の前後方向に紐を巻回するときに紐１３の一部を補助具９の中空部１２ａに収容し、紙資源１４の左右方向に紐１３を巻回するときに紐の一部を補助具９の中空部１２ｂに収容するとよい。
【００２８】
ここで、補助具９について詳細に説明する。
図３及び図４に示すように、補助具９は、断面略Ｃ型あるいはＵ型の半割円筒体９ａを十字状に形成し、この十字状の半割円筒体９ａの中空部１２ａ, １２ｂで紙資源を結束する紐１３ａ,１３ｂの交差部を収容するよう構成されるものである。
従来のように、補助具９を用いずに紙資源１４を紐で結束し、素手で紐の交差部分を引き上げて紙資源ストックホルダ１ａから紙資源１４を取り出そうとすると、紙資源１４の荷重で紐が作業者の手に食い込んでしまい、紙資源１４の取り出し時及び運搬時の苦痛のもとになっていた。
しかしながら、上述のような構成の補助具９を用い、中空部１２ａ, １２ｂに紐１３ａ,１３ｂの交差部分を収容した場合には、紙資源ストックホルダ１ａから紙資源１４を取り出す場合に、作業者は補助具９の下に指を入れて紙資源１４を上方に引き上げればよく、この時、紙資源１４の荷重は紐１３ａ,１３ｂから半割円筒体９ａを介して作業者の手に伝達されるため、紐１３ａ,１３ｂが作業者の手に食い込む心配がなく、紙資源１４の取り出しや搬出時の苦痛を和らげることができる。
なお、紙資源１４の取り出しや搬送が終了した後、補助具９は紐１３ａ,１３ｂから取外して持ち帰ることができ、繰り返して使用することができる。また、収納ケース８は補助具９を収納するのに便利である。
また、本実施の形態においては、合成樹脂により補助具９を構成することを想定しているが、必ずしも合成樹脂で補助具９を構成する必要はなく、紙資源１４の荷重による変形の心配がなく、かつ形成容易な材料であればその材質は問題としない。
【００２９】
さらに、ガイド板１０により紐１３ａがスリット４ａへと誘導される仕組みについて図５（ａ）を参照しながら説明する。
図５（ａ）は図３中の符号Ａで示される方向における矢視図である。なお、図１乃至図４に記載されたものと同一部分については同一符号を付し、その構成についての説明は省略する。また、図中の符号１５は紙資源ストックホルダ１ａの設置面である。
図５（ａ）は、紙資源１４を結束するための紐１３ａを紙資源ストックホルダ１ａの脚部３ａ, ３ａの間からの前後方向に掛け渡した状態を示している。いま、筐体２ａの前後側面に穿設されるスリット４ｂ付近において、紐１３ａの両端を把持して上方に引き上げると、紐１３ａはガイド板１０の下端面１０ａに沿って図中の符号Ｉで示す方向にスライドしてスリット４ａに案内され、紙資源１４の底面に紐１３ａを確実に配置することができる。さらに、図示しないが、紙資源１４の左右方向に紐１３ｂを巻回する場合も同様に、紐１３ｂはガイド板１０によりスリット４ａに案内されるので、紙資源１４の底面に確実に紐１３ｂを配置することができるのである。
このように、本実施の形態に係る紙資源ストックホルダ１ａによれば、特別な注意を払わなくとも紙資源１４の底面に確実に紐１３ａ,１３ｂを配置することができ、紐１３ａ,１３ｂにより紙資源１４を短時間で容易に結束することができるのである。
【００３０】
次に、本実施の形態に係る紙資源ストックホルダ１ａの筐体２ａに穿設されるスリット４ａ,４ｂの変形例について図５（ｂ）を参照しながら説明する。
図５（ｂ）は本考案の第１の形態に係る紙資源ストックホルダのスリットの変形例を示す部分断面図である。なお、図１乃至図４に記載されたものと同一部分については同一符号を付し、その構成についての説明は省略する。
図５（ｂ）に示されるスリット４ａ又はスリット４ｂは、筐体２ａの外側におけるスリット幅Ｋと、筐体２ａの内側におけるスリット幅Ｌの関係が、Ｋ＜Ｌを満たすよう構成され、さらに、スリット幅Ｋを紐１３ａ,１３ｂの断面径よりもやや小さく、即ち、スリット幅Ｋを紐１３ａ,１３ｂの通過を可能に、かつ紐１３ａ,１３ｂが容易に外れ抜けない程度の幅となるよう構成したものである。
このように、スリット４ａ又はスリット４ｂを構成することで、スリット４ａ又はスリット４ｂを通過した紐１３ａ,１３ｂを図中の符号Ｍで示される空間内に保持することができるのである。つまり、紙資源１４を、紐１３ａ,１３ｂで結束する際に、ガイド板１０によりスリット４ａ,４ｂに誘導された紐１３ａ,１３ｂがスリット４ａ,４ｂから外れるのを防止することができるのである。このため、紙資源１４を結束する際に、万一、紐１３ａ又は紐１３ｂが弛んでも、筐体２ａの一部を巻き込んだまま紙資源１４を結束してしまう心配がなく、結束作業の効率を高めることができる。
【００３１】
最後に、図６を参照しながら本考案の第２の実施の形態にかかる紙資源ストックホルダについて説明する。（特に、請求項２乃至請求項６に対応）
本考案の第２の実施の形態にかかる紙資源ストックホルダは、本考案の第１の実施の形態にかかる紙資源ストックホルダとほぼ同じ作用及び効果を有するものであるが、筐体の底面に設けられる脚部の構成が本考案の第１の実施の形態にかかる紙資源ストックホルダと異なる。
図６は本考案の第２の実施の形態に係る紙資源ストックホルダの概念図である。なお、図１乃至図５に記載されたものと同一部分については同一符号を付し、その構成についての説明は省略する。
図６に示すように、本考案の第２の実施の形態に係る紙資源ストックホルダ１ｂは、紙資源ストックホルダ１ａに係るガイド板１０を備える代わりに、脚部３ｂが筐体２ｂの４側面の下方に連続して延設され、この脚部３ｂの底面からの高さは側面の中心側に向かうにつれ、即ち、スリット４ａに向うにつれて低くなるよう構成されている。
このように構成される紙資源ストックホルダ１ｂは、紙資源ストックホルダ１ａに比べ構造が簡易となり、紙資源ストックホルダ１ｂの製造に係るコストを安価にすることができる。
【００３２】
なお、上述のような紙資源ストックホルダ１ａ,１ｂに係る筐体２ａ, ２ｂ及び天板６を構成する材料は、たとえば木質系の板材や化粧合板でも良いし、合成樹脂でもよい。すなわち、紙資源ストックホルダ１ａ,１ｂを紙資源の保管以外の目的で使用する際に、他の使用の目的を達することができる程度の十分な強度を有するものであればその構成材料は問題としない。
【産業上の利用可能性】
【００３３】
本発明に係る紙資源ストックホルダとそれから紙資源を取り出すための補助具は、使用済みの新聞紙や雑誌等の紙資源を保管して、紐による紙資源の結束や紙資源の取り出しを容易にし、紙資源の収容以外の目的で使用することができるものであり、家具や収納具に関する分野において利用の可能性が高い。
【図面の簡単な説明】
【００３４】
【図１】本考案の第１の実施の形態に係る紙資源ストックホルダの概念図である。
【図２】本考案の第１の実施の形態に係る紙資源ストックホルダの天板を開口に掛着した場合の概念図である。
【図３】本考案の第１の実施の形態に係る紙資源ストックホルダの使用状態図である。
【図４】本考案の第１の実施の形態に係る紙資源紙資源ストックホルダの補助具の概念図である。
【図５】（ａ）は図３中の符号Ａで示される方向における矢視図であり、（ｂ）本考案の第１の形態に係る紙資源ストックホルダのスリットの変形例を示す部分断面図である。
【図６】本考案の第２の実施の形態に係る紙資源ストックホルダの概念図である。
【図７】（ａ）は従来技術に係る新聞雑誌収納箱の外形図であり、（ｂ）はその一部を切り欠いて示す使用状態図である。
【００３５】
１ａ,１ｂ…紙資源ストックホルダ  ２ａ,２ｂ…筐体  ３ａ,３ｂ…脚部  ４ａ,４ｂ…スリット  ４ｃ, ４ｃ1〜 ４ｃ4…孔  ５…長孔  ６…天板  ７…フック  ８…収納ケース  ８ａ…カバー  ８ｂ…フック  ８ｃ…ヒンジ部  ９…補助具  ９ａ…半割円筒体  １０…ガイド板  １０ａ…下端面  １１…開口  １２ａ,１２ｂ…中空部  １３,１３ａ，１３ｂ…紐  １３ｃ…端部  １４…紙資源  １５…設置面  １６…孔  １７ａ，１７ｂ…結び目  １００…新聞雑誌収納箱  １０１…格子枠体部  １０２…受板部  １０３…スリット  １０４…囲み部材  １０５…作業用空間部  １０６…収納空間部  １０７…新聞,雑誌等  １０８…紐
【図１】
0003111696.tif 000003
【図２】
0003111696.tif 000004
【図３】
0003111696.tif 000005
【図４】
0003111696.tif 000006
【図５】
0003111696.tif 000007
【図６】
0003111696.tif 000008
【図７】
0003111696.tif 000009